【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  電子写真式の印刷プロセス又は複写プロセスを調節する方法であって、印刷すべき情報をトナー中間像として中間像担体（４，１２２，１３０，１３６，１４４）上に生ぜしめ、後で転写領域（５，１３２，１４６）において中間像担体（４，１２２，１３０，１３６，１４４）の転写表面（４ａ，１３０ａ，１４４ａ）から記録担体（２，１１４）上に伝達し、その際、
−  特に電子写真式の中間像担体（４，１３０，１４４）上にトナーマーク中間像としてのトナーマークを生ぜしめ、
中間像担体（４，１２２，１３６）上のトナーマークを少なくとも範囲的に走査し、かつトナーマークを次いで中間像担体（４，１２２，１３６）から再び除去し、
走査された値、特に濃度値、により現像ステーション（８）内のトナー濃度を調節し、
中間像担体（４，１２２，１３０，１３６，１４４）の転写表面（４ａ，１３０ａ，１４４ａ）から記録担体（２，１１４）へのトナーマーク中間像の転写をトナーマークの発生と除去との間の期間内で一時的に阻止し、
トナーマークの発生と除去との間の前記期間中に前記記録担体（２，１１４）が転写領域（５，１３２，１４６）内に存在する、
ことを特徴とする、電子写真式の印刷プロセス又は複写プロセスを調節する方法。
【請求項２】  前記転写の阻止を、記録担体（２，１１４）の転写表面（４ａ，１３０ａ，１４４ａ）からの引き離しによって行う、請求項１記載の方法。
【請求項３】  転写を阻止する間、前記記録担体を保持する、請求項１又は２記載の方法。
【請求項４】  走査された値によって、トナー濃度を調節するための調節値を調節する、請求項１から３までのいずれか１項記載の方法。
【請求項５】  転写の阻止を、トナーマークが転写領域（５，１２８，１３２，１４２，１４６）を通過する期間中に生ぜしめる、請求項１から４までのいずれか１項記載の方法。
【請求項６】  トナーマークを中間像担体（４，１２２，１３６，１３０，１４４）上で、記録担体（２，１１４）上に印刷すべき情報も引き渡される範囲内で生ぜしめる、請求項１から４までのいずれか１項記載の方法。
【請求項７】  記録担体（２，１１４）がウェブ形でありかつ特に紙から成っている、請求項１から６までのいずれか１項記載の方法。
【請求項８】  中間像担体として感光体ドラム（４）を使用し、転写表面として感光体ドラム（４）の表面を使用する、請求項１から７までのいずれか１項記載の方法。
【請求項９】  記録担体を、感光体ドラム（４）の１回転の間その転写表面から引き離す、請求項８記載の方法。
【請求項１０】  第１の中間像担体として感光体ベルト（１２２，１３６）あるいは感光体ドラム（４）を使用し、かつ第２の中間像担体として移送ベルト（１３０，１４４）を使用し、その際印刷すべき情報を第１の中間像担体（１２２，１３６）上で生ぜしめ、かつ次いで該移送ベルト（１３０，１４４）上に伝達し、かつその際転写表面として移送ベルト（１３０，１４４）の表面を使用する、請求項１から７までのいずれか１項記載の方法。
【請求項１１】  トナーマークの走査を移送ベルト（１３０，１４４）上で行う、請求項１０記載の方法。
【請求項１２】  記録担体（２，１１４）上に印刷すべき情報に相応して中間像をその上に生ぜしめることのできる中間像担体（４，１２２，１３６）と、現像ステーション（８，１２６ａ〜１２６ｅ，１４０ａ〜１４０ｅ）とを備えている電子写真式の印刷機構又は複写機構を運転する方法であって、
トナーマークを中間像担体（４，１２２，１３６，１３０，１４４）上に生ぜしめ、トナーマークを次いで、特にその濃度に関して、走査し、かつ次いで中間像担体（４，１２２，１３６，１３０，１４４）から除去し、かつ走査された値、特にトナー濃度値、を現像ステーション（８，１２６ａ〜１２６ｅ，１４０ａ〜１４０ｅ）内のトナー濃度の調節のために使用する第１の運転状態と、
情報を中間像担体（４，１２２，１３６，１３０，１４４）上にトナー像として生ぜしめ、かつ後で記録担体（２，１１４）上に転写せしめられる第２の運転状態とを有し、その際、
第１の運転状態では、中間像担体（４，１２２，１３６，１３０，１４４）の転写表面（４ａ，１３０ａ，１４４ａ）から記録担体（２，１１４）へのトナーマーク中間像の転写を、トナーマークの発生と除去との間の期間内で一時的に阻止し、記録担体（２，１１４）が転写領域（５，１３２，１４６）内に存在する、
ことを特徴とする、電子写真式の印刷機構又は複写機構を運転する方法。
【請求項１３】  第１の運転状態では、記録担体（２，１４）を少なくとも一時的に中間像担体（４，１２２，１３０，１３６，１４４）の表面から持ち上げる、請求項１２記載の方法。
【請求項１４】  第１の運転状態では、転写を阻止する間、記録担体を保持する、請求項１２又は１３までのいずれか１項記載の方法。
【請求項１５】  走査された値によって、トナー濃度を調節するための調節値を調節する、請求項１２から１４までのいずれか１項記載の方法。
【請求項１６】  第２の運転状態の所定数のページの印刷が行われた後に、第１の運転状態に切り替える、請求項１２から１５までのいずれか１項記載の方法。
【請求項１７】  複数のトナーマーク、特にそれらの間に第２の運転状態の装置運転位相があった複数のトナーマーク、の走査された濃度値を一緒に現像ステーション（８）内のトナー濃度の調節に使用する、請求項１２から１６までのいずれか１項記載の方法。
【請求項１８】  トナーマークの走査された濃度値を現像ステーション（８，１２６ａ〜１２６ｅ，１４０ａ〜１４０ｅ）内のトナー供給の調節に使用する、請求項１２から１７記載の方法。
【請求項１９】  第２の運転状態において、前接続されている第１の運転状態において調べられたトナー濃度値からトナー濃度目標値あるいは調節限界値を形成することによって、かつ現像ステーション（８，１２６ａ〜１２６ｅ，１４０ａ〜１４０ｅ）内のトナー濃度をトナー濃度センサ（２１）により決定することによって、現像ステーション（８，１２６ａ〜１２６ｅ，１４０ａ〜１４０ｅ）内のトナー濃度を調節する、請求項１２から１８までのいずれか１項記載の方法。
【請求項２０】  記録担体（２，１１４）上に印刷すべき情報に相応して中間像をその上に生ぜしめることのできる中間像担体（４，１２２，１３６，１３０，１４４）を備えている電子写真式の印刷機構又は複写機構であって、
ａ）  調節部（２５）を有し、
ａ１）  第１の運転状態を生ぜしめるために、第１の運転状態においてトナーマークが中間像担体（４，１２２，１３６，１３０，１４４）上に生ぜしめられ、トナーマークが次いで走査されかつ次いで再び中間像担体（４，１２２，１３６，１３０，１４４）から除去され、かつ、
ａ２）  第２の運転状態を生ぜしめるために、第２の運転状態において情報が中間像担体（４，１２２，１３６，１３０，１４４）上にトナー像として生ぜしめられかつ後で記録担体（２，１１４）上に転写され、その際、
ａ３）  第１の運転状態においては記録担体（２，１１４）上への情報の転写が少なくとも一時的に阻止され、かつ、
ｂ）  記録担体（２，１１４）が転写領域（５，１３２，１４６）内にある第１の運転状態において転写を阻止するために転写阻止手段（１５，２０）を備えている、
ことを特徴とする、電子写真式の印刷機構又は複写機構。
【請求項２１】  転写阻止手段（１５，２０）が記録担体（２，１１４）を中間像担体（１３０，１４４）の表面から引き離す、請求項２０記載の機構。
【請求項２２】  転写阻止手段が、記録担体を保持する手段を有している、請求項２０又は２１記載の機構